【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
シートに画像を形成する画像形成手段と、
前記シートを複数枚重ねたシート束に綴じ処理を行う綴じ手段と、
前記画像形成手段から搬送されるシートによる前記シート束が載置される第１シート束載置手段と、
ユーザにより挿入されたシート束が載置される、前記第１シート束載置手段とは異なる第２シート束載置手段と、
前記第１シート束載置手段に載置された前記シート束を綴じるための第１位置と前記第２シート束載置手段に載置された前記シート束を綴じるための第２位置とを含む所定の移動経路に沿って前記綴じ手段を移動させる移動手段と、
前記第２シート束載置手段に載置される前記シート束の有無を検知する検知手段と、
前記画像形成手段及び前記移動手段を制御する制御手段と、
を有し、
前記移動経路は前記第２位置の近傍で前記第１位置側に屈曲部を有し、前記第２シート束載置手段に前記シート束が載置された状態で前記綴じ手段が前記第２位置から前記屈曲部を経由して前記第１位置へ移動すると、前記綴じ手段が前記第２シート束載置手段に載置された前記シート束に干渉するものであり、
前記制御手段は、前記綴じ手段が前記第２位置にあり、前記第１位置での綴じ処理を指定された印刷ジョブが入力された場合に、前記検知手段が前記シート束を検知していなければ、前記画像形成手段を画像形成可能な状態にするための画像形成準備動作を開始させ且つ前記綴じ手段を前記第１位置へ移動させるように、前記画像形成手段及び前記移動手段を制御し、前記検知手段が前記シート束を検知していれば、前記画像形成準備動作の開始を行わせず且つ前記綴じ手段を前記第１位置へ移動させないことを特徴とする画像形成装置。
【請求項２】
前記制御手段は、前記検知手段が前記シート束を検知しなくなるまで前記画像形成準備動作の開始を行わせず、且つ、前記綴じ手段を前記第１位置へ移動させないことを特徴とする、
請求項１記載の画像形成装置。
【請求項３】
前記制御手段は、前記綴じ手段が前記第２位置にあり、前記検知手段が前記シート束を検知していない状態で前記印刷ジョブが入力された場合に、前記画像形成準備動作の開始後で前記綴じ手段の移動開始前に前記検知手段が前記シート束を検知すると、前記画像形成準備動作を中断させ、前記検知手段が前記シート束の有から無を検知すると、前記画像形成準備動作を再開させることを特徴とする、
請求項１または２に記載の画像形成装置。
【請求項４】
前記制御手段は、前記綴じ手段が前記第２位置にあり、前記検知手段が前記シート束を検知していない状態で前記印刷ジョブが入力された場合に、前記画像形成準備動作の開始後で前記綴じ手段の移動開始後に前記検知手段が前記シート束を検知しても、前記画像形成準備動作及び前記綴じ手段の移動を継続させることを特徴とする、
請求項１乃至３の何れか１項に記載の画像形成装置。
【請求項５】
前記制御手段は、前記綴じ手段が前記第２位置にあり、前記検知手段が前記シート束を検知していない状態で前記印刷ジョブが入力された場合に、前記画像形成準備動作の開始後で前記綴じ手段の移動開始前に前記検知手段が前記シート束を検知すると、前記画像形成準備動作を中断させ、前記綴じ手段に前記第２位置で前記シート束を綴じさせることを特徴とする、
請求項３に記載の画像形成装置。
【請求項６】
前記制御手段は、前記綴じ手段が前記第２位置にある状態で、前記シート束に対する綴じ処理を含まない印刷ジョブが入力された場合に、前記検知手段がシート束の無を検知していても前記綴じ手段を前記第１位置に移動させないことを特徴とする、
請求項１乃至５のいずれか１項記載の画像形成装置。
【請求項７】
更に、情報を表示する表示手段を有し、
前記制御手段は、前記印刷ジョブによる前記第１位置における綴じ処理の後に前記検知手段がシートの無から有を検知すると、前記表示手段に、前記第２シート束載置手段の前記シート束を取り除くことを促す表示を行うことを特徴とする、
請求項１乃至５のいずれか１項記載の画像形成装置。
【請求項８】
シートを複数枚重ねたシート束に綴じ処理を行う綴じ手段と、
前記シート束が載置される第１シート束載置手段と、
前記シート束が載置される、前記第１シート束載置手段とは異なる第２シート束載置手段と、
前記第１シート束載置手段に載置された前記シート束を綴じるための第１位置と前記第２シート束載置手段に載置された前記シート束を綴じるための第２位置とを含む所定の移動経路に沿って前記綴じ手段を移動させる移動手段と、
前記第２シート束載置手段に載置される前記シート束を検知する検知手段と、
前記検知手段による検知結果を送信する通信手段と、を備え、
前記移動経路は前記第２位置の近傍で前記第１位置側に屈曲部を有し、前記第２シート束載置手段に前記シート束が載置された状態で前記綴じ手段が前記第２位置から前記屈曲部を経由して前記第１位置へ移動すると、前記綴じ手段が前記第２シート束載置手段に載置された前記シート束に干渉するシート処理装置との間で通信可能に接続される画像形成装置であって、
前記シートに画像を形成する画像形成手段と、
画像を形成した前記シートを前記シート処理装置に排出する排出手段と、
前記綴じ手段が前記第２位置にあり、前記第１位置での綴じ処理を指定された印刷ジョブが入力された場合に、前記検知手段が前記シート束を検知していなければ、前記画像形成手段を画像形成可能な状態にするための画像形成準備動作を開始させ、前記検知手段が前記シート束を検知していれば、前記画像形成準備動作の開始を行わせないよう制御する制御手段と、
を備えることを特徴とする、画像形成装置。
【請求項９】
シートに画像を形成する画像形成手段と、
シートを複数枚重ねたシート束に綴じ処理を行う綴じ手段と、
前記画像形成手段から搬送されるシートによる前記シート束が載置される第１シート束載置手段と、
ユーザにより挿入されたシート束が載置される、前記第１シート束載置手段とは異なる第２シート束載置手段と、
前記綴じ手段を、前記第１シート束載置手段に載置された前記シート束を綴じるための第１位置と前記第２シート束載置手段に載置された前記シート束を綴じるための第２位置とを含む所定の移動経路に沿って前記綴じ手段を移動させる移動手段と、
前記第２シート束載置手段に載置される前記シート束を検知する検知手段と、
前記画像形成手段及び前記移動手段を制御する制御手段と、を備え、前記移動経路は前記第２位置の近傍で前記第１位置側に屈曲部を有し、前記第２シート束載置手段に前記シート束が載置された状態で前記綴じ手段が前記第２位置から前記屈曲部を経由して前記第１位置へ移動すると、前記綴じ手段が前記第２シート束載置手段に載置された前記シート束に干渉する画像形成装置により実行される方法であって、
前記綴じ手段が前記第２位置にあり、前記第１位置での綴じ処理を指定された印刷ジョブが入力された場合に、前記検知手段が前記シート束を検知していなければ、前記画像形成手段を画像形成可能な状態にするための画像形成準備動作を開始させ且つ前記綴じ手段を前記第１位置へ移動させるように、前記画像形成手段及び前記移動手段を制御し、前記検知手段が前記シート束を検知していれば、前記画像形成準備動作の開始を行わせず且つ前記綴じ手段を前記第１位置へ移動させないことを特徴とする、
画像形成方法。
【請求項１０】
シートに画像形成する画像形成装置に接続されるシート処理装置において、
前記画像形成装置から搬送される複数のシートで構成されるシート束が載置される第１シート束載置手段と、
ユーザにより挿入されたシート束が載置される、前記第１シート束載置手段とは異なる第２シート束載置手段と、
前記第１シート束載置手段に載置されるシート束と前記第２シート束載置手段に載置されるシート束の何れにも綴じ処理を行う綴じ手段と、
前記第１シート束載置手段に載置された前記シート束を綴じるための第１位置と前記第２シート束載置手段に載置された前記シート束を綴じるための第２位置とを含む所定の移動経路に沿って前記綴じ手段を移動させる移動手段と、
前記第２シート束載置手段に載置される前記シート束の有無を検知する検知手段と、
前記移動手段を制御する制御手段と、
を有し、
前記移動経路は前記第２位置の近傍で前記第１位置側に屈曲部を有し、前記第２シート束載置手段に前記シート束が載置された状態で前記綴じ手段が前記第２位置から前記屈曲部を経由して前記第１位置へ移動すると、前記綴じ手段が前記第２シート束載置手段に載置された前記シート束に干渉するものであり、
前記制御手段は、前記綴じ手段が前記第２位置にある状態で前記シート束に対する綴じ処理を含む画像形成の指示を取得した場合に、前記検知手段がシート束の有を検知しているならば、前記検知手段がシート束の無を検知するまで前記移動手段による前記綴じ手段の移動を禁止する制御手段と、を備えることを特徴とする、
シート処理装置。
【請求項１１】
前記制御手段は、前記第２シート束載置手段に載置されたシート束に対する綴じ処理が終了しても、前記検知手段がシート束の無を検知するまで前記移動手段による前記綴じ手段の移動を禁止することを特徴とする、
請求項１０記載のシート処理装置。
【請求項１２】
前記制御手段は、前記画像形成の指示に応じた綴じ処理の終了後に前記移動手段により前記綴じ手段を前記第１シート束載置手段から前記第２シート束載置手段へ移動させる場合に、前記検知手段がシートの有を検知しているならば、前記検知手段がシートの無を検知するまで前記第２シート束載置手段への移動を禁止することを特徴とする、
請求項１０又は１１記載のシート処理装置。
【手続補正２】
【補正対象書類名】明細書
【補正対象項目名】０００８
【補正方法】変更
【補正の内容】
【０００８】
本発明の画像形成装置は、シートに画像を形成する画像形成手段と、前記シートを複数枚重ねたシート束に綴じ処理を行う綴じ手段と、前記画像形成手段から搬送されるシートによる前記シート束が載置される第１シート束載置手段と、ユーザにより挿入されたシート束が載置される、前記第１シート束載置手段とは異なる第２シート束載置手段と、前記第１シート束載置手段に載置された前記シート束を綴じるための第１位置と前記第２シート束載置手段に載置された前記シート束を綴じるための第２位置とを含む所定の移動経路に沿って前記綴じ手段を移動させる移動手段と、前記第２シート束載置手段に載置される前記シート束の有無を検知する検知手段と、前記画像形成手段及び前記移動手段を制御する制御手段と、を有し、前記移動経路は前記第２位置の近傍で前記第１位置側に屈曲部を有し、前記第２シート束載置手段に前記シート束が載置された状態で前記綴じ手段が前記第２位置から前記屈曲部を経由して前記第１位置へ移動すると、前記綴じ手段が前記第２シート束載置手段に載置された前記シート束に干渉するものであり、前記制御手段は、前記綴じ手段が前記第２位置にあり、前記第１位置での綴じ処理を指定された印刷ジョブが入力された場合に、前記検知手段が前記シート束を検知していなければ、前記画像形成手段を画像形成可能な状態にするための画像形成準備動作を開始させ且つ前記綴じ手段を前記第１位置へ移動させるように、前記画像形成手段及び前記移動手段を制御し、前記検知手段が前記シート束を検知していれば、前記画像形成準備動作の開始を行わせず且つ前記綴じ手段を前記第１位置へ移動させないことを特徴とする。